(57)【要約】【課題】従来のバイパス回路では、電力線通信に用いられる周波数において発生する共振によって、電力線通信の信号が減衰するために、高品質な電力線通信を提供できない、という課題があった。【解決手段】変圧器１０と接続された配線Ｌ１およびＬ２間に接続され、この配線Ｌ１およびＬ２間において電力線通信の信号を通過させるためのコンデンサ２０１を備えた電力線通信用のバイパス回路２０であって、バイパス回路に関する共振周波数が、電力線通信に用いられる周波数以外の周波数となるようにしたことにより、電力線通信に適切に対応することが可能なバイパス回路２０を提供することができる。【選択図】図１
2019176304.tif 000002
【特許請求の範囲】
【請求項１】
電力機器と接続された配線間に接続され、当該配線間において電力線通信の信号を通過させるための素子を備えた電力線通信用のバイパス回路であって、
バイパス回路に関する共振周波数が、前記電力線通信に用いられる周波数以外の周波数であるバイパス回路。
【請求項２】
前記素子は、コンデンサであり、
前記コンデンサの容量は、バイパス回路に関する共振周波数が電力線通信に用いられる周波数以外の周波数となる容量である請求項１記載のバイパス回路。
【請求項３】
バイパス回路に関する共振周波数が電力線通信に用いられる周波数以外の周波数となるよう、前記素子に対して接続されたコンデンサまたはインダクタを備えた請求項１記載のバイパス回路。
【請求項４】
前記素子に接続された配線の長さを、バイパス回路に関する共振周波数が前記電力線通信に用いられる周波数以外の周波数となる長さとした請求項１記載のバイパス回路。
【請求項５】
電力機器と接続された配線間に接続され、当該配線間において電力線通信の信号を通過させるための素子を備えた電力線通信用のバイパス回路であって、
バイパス回路に関する共振周波数が電力線通信に用いられる周波数である場合において、当該共振周波数のインピーダンスが極大値を取る時には当該極大値が小さくなり、当該共振周波数のインピーダンスが極小値を取る時には当該極小値が大きくなるよう、前記素子に対して接続されたコンデンサまたはインダクタを備えたバイパス回路。
【請求項６】
バイパス回路に関する共振が直列共振である場合に、前記素子に対して、コンデンサまたはインダクタを有する回路であってバイパス回路に関する共振周波数と同じ共振周波数で並列共振する回路を接続した請求項５記載のバイパス回路。
【請求項７】
バイパス回路に関する共振が並列共振である場合に、前記素子に対して、コンデンサまたはインダクタを有する回路であってバイパス回路に関する共振周波数と同じ共振周波数で直列共振する回路を接続した請求項５記載のバイパス回路。
【請求項８】
電力機器と接続された配線間に接続され、当該配線間において電力線通信の信号を通過させるための素子を備えた電力線通信用のバイパス回路であって、
前記素子に接続された配線は、バイパス回路に関する共振周波数が電力線通信に用いられる周波数である場合において、当該共振周波数のインピーダンスが極大値を取る時には当該極大値が小さくなり、当該共振周波数のインピーダンスが極小値を取る時には当該極小値が大きくなる長さとしたバイパス回路。
【請求項９】
電力機器と接続された配線間に接続され、当該配線間において電力線通信の信号を通過させるための素子を備えた電力線通信用のバイパス回路であって、
前記素子に対して接続されたダンピング抵抗を備えたバイパス回路。
【発明の詳細な説明】
【技術分野】
【０００１】
本発明は、電力線通信（ＰＬＣ）に用いられるバイパス回路に関するものである。
【背景技術】
【０００２】
従来の技術として、高周波信号の配電線からの取出しと配電線への注入の手段として、トランスとして機能する分割型のコアを配電機器の両側における２本の配電線にそれぞれ配置してケーブル接続するとともに、配電機器と配電線との接続端間にキャパシタを配置したことにより、高周波信号の周波数帯域において配電機器の損失特性の影響を受けないで、高周波信号のバイパスを可能とするとともに、キャパシタによって、トランスとして機能するコアによる高周波信号の取出し効率と注入効率とを大きくするものが知られていた（例えば、特許文献１参照）。
【先行技術文献】
【特許文献】
【０００３】
【特許文献１】特許第４６３３７８７号公報（第１頁、第１図等）
【発明の概要】
【発明が解決しようとする課題】
【０００４】
電力線通信においては、変圧器等の電力機器が通信を妨げることから、これを避けるために、例えば、電力線通信用の信号を通過させるバイパス回路が設けられていた。しかしながら、バイパス回路を設けると、このバイパス回路に関連して共振が発生する場合がある。
【０００５】
例えば、バイパス回路がコンデンサを有すると、このコンデンサ自身のＥＳＲ（等価直列インダクタンス）や、ＥＳＬ（等価直列リアクタンス）の影響により、自己共振が発生する場合がある。
【０００６】
また、バイパス回路がコンデンサを有すると、電力機器である変圧器に接続された二次側（例えば、負荷側）の配線間を電力線通信が可能となるよう接続するバイパス回路を設けた場合、変圧器が有するインダクタと、バイパス回路が有するコンデンサ等において、並列共振回路が構成されることによって並列共振が起こる場合がある。
【０００７】
また、変圧器等の電力機器自体が、高周波では配線長や線間容量により複雑なＬＣ回路等を構成し、大きな共振が発生する場合がある。
【０００８】
このようなバイパス回路に関連した共振が、電力線通信に用いられる通信帯域内において発生した場合、共振によって通信帯域に大きな減衰が発生して通信速度の低下等が起こり、電力線通信の品質が低下してしまうという課題があった。
【０００９】
本発明は、上記のような課題を解消するためになされたものであり、共振による電力線通信の品質の低下を抑えて、高品質な電力線通信を提供できるバイパス回路を提供することを目的とする。
【課題を解決するための手段】
【００１０】
本発明のバイパス回路は、電力機器と接続された配線間に接続され、当該配線間において電力線通信の信号を通過させるための素子を備えた電力線通信用のバイパス回路であって、バイパス回路に関する共振周波数が、前記電力線通信に用いられる周波数以外の周波数であるバイパス回路である。
【００１１】
かかる構成により、共振周波数を変更することで、電力線通信に用いられる周波数における共振による電力線通信に与える影響を低減させて、高品質な電力線通信を提供できる。
【００１２】
また、本発明のバイパス回路は、前記バイパス回路において、前記素子は、コンデンサであり、前記コンデンサの容量は、バイパス回路に関する共振周波数が電力線通信に用いられる周波数以外の周波数となる容量であるバイパス回路である。
【００１３】
かかる構成により、電力線通信に用いられる周波数における共振による電力線通信に与える影響を低減させて、高品質な電力線通信を提供できる。また、容量を変更すればよいため、回路に新たな素子等を接続する必要がなく、構成を簡略化できる。
【００１４】
また、本発明のバイパス回路は、前記バイパス回路において、バイパス回路に関する共振周波数が電力線通信に用いられる周波数以外の周波数となるよう、前記素子に対して接続されたコンデンサまたはインダクタを備えたバイパス回路である。
【００１５】
かかる構成により、電力線通信に用いられる周波数における共振による電力線通信に与える影響を低減させて、高品質な電力線通信を提供できる。また、共振周波数を変更する際には接続するコンデンサまたはインダクタを変更すればよいため、共振周波数を変更する際の調整が容易である。
【００１６】
また、本発明のバイパス回路は、前記バイパス回路において、前記素子に接続された配線の長さを、バイパス回路に関する共振周波数が前記電力線通信に用いられる周波数以外の周波数となる長さとしたバイパス回路である。
【００１７】
かかる構成により、電力線通信に用いられる周波数における共振による電力線通信に与える影響を低減させて、高品質な電力線通信を提供できる。また、配線長を変更すればよいため、回路に新たな素子等を接続する必要がなく、構成を簡略化できる。
【００１８】
また、本発明のバイパス回路は、電力機器と接続された配線間に接続され、当該配線間において電力線通信の信号を通過させるための素子を備えた電力線通信用のバイパス回路であって、バイパス回路に関する共振周波数が電力線通信に用いられる周波数である場合において、当該共振周波数のインピーダンスが極大値を取る時には当該極大値が小さくなり、当該共振周波数のインピーダンスが極小値を取る時には当該極小値が大きくなるよう、前記素子に対して接続されたコンデンサまたはインダクタを備えたバイパス回路である。
【００１９】
かかる構成により、共振周波数におけるインピーダンスの極値を打ち消すことで、共振の電力線通信に与える影響を低減させ、高品質な電力線通信を提供できる。
【００２０】
また、本発明のバイパス回路は、前記バイパス回路において、バイパス回路に関する共振が直列共振である場合に、前記素子に対して、コンデンサまたはインダクタを有する回路であってバイパス回路に関する共振周波数と同じ共振周波数で並列共振する回路を接続したバイパス回路である。
【００２１】
かかる構成により、直列共振によるインピーダンスの極小値を、共振周波数が同じ並列共振で打ち消すことで、共振の電力線通信に与える影響を低減させ、高品質な電力線通信を提供できる。
【００２２】
また、本発明のバイパス回路は、前記バイパス回路において、バイパス回路に関する共振が並列共振である場合に、前記素子に対して、コンデンサまたはインダクタを有する回路であってバイパス回路に関する共振周波数と同じ共振周波数で直列共振する回路を接続したバイパス回路である。
【００２３】
かかる構成により、並列共振によるインピーダンスの極大値を、共振周波数が同じ直列共振で打ち消すことで、共振の電力線通信に与える影響を低減させ、高品質な電力線通信を提供できる。
【００２４】
また、本発明のバイパス回路は、電力機器と接続された配線間に接続され、当該配線間において電力線通信の信号を通過させるための素子を備えた電力線通信用のバイパス回路であって、前記素子に接続された配線は、バイパス回路に関する共振周波数が電力線通信に用いられる周波数である場合において、当該共振周波数のインピーダンスが極大値を取る時には当該極大値が小さくなり、当該共振周波数のインピーダンスが極小値を取る時には当該極小値が大きくなる長さとしたバイパス回路である。
【００２５】
かかる構成により、共振周波数におけるインピーダンスの極値を打ち消すことで、共振の電力線通信に与える影響を低減させ、高品質な電力線通信を提供できる。
【００２６】
また、本発明のバイパス回路は、電力機器と接続された配線間に接続され、当該配線間において電力線通信の信号を通過させるための素子を備えた電力線通信用のバイパス回路であって、前記素子に対して接続されたダンピング抵抗を備えたバイパス回路である。
【００２７】
かかる構成により、ダンピング抵抗により、共振周波数におけるインピーダンスのＱ値を低下させて、共振の電力線通信に与える影響を低減させ、高品質な電力線通信を提供できる。
【発明の効果】
【００２８】
本発明によるバイパス回路によれば、高品質な電力線通信を提供することができる。
【図面の簡単な説明】
【００２９】
【図１】本発明の実施の形態１におけるバイパス回路を示す図（図１（ａ））、およびその変形例を示す図（図１（ｂ）〜１（ｅ））
【図２】同バイパス回路を説明するための、コンデンサを備えたバイパス回路を示す図（図２（ａ））、並列共振回路の周波数とインピーダンスとの関係を示す図（図２（ｂ））、および電力線通信の信号の周波数と出力電力との関係を示す図（図２（ｃ））
【図３】本発明の実施の形態２におけるバイパス回路を示す図（図３（ａ））、直列共振回路の周波数とインピーダンスとの関係を示す図（図３（ｂ））、および本実施の形態のバイパス回路の変形例を示す図（図３（ｃ））
【図４】本発明の実施の形態３にかかるバイパス回路を示す図
【図５】本発明の各実施の形態にかかるバイパス回路を説明するための図（図５（ａ）、およびそのバイパス回路の変形例を示す図（図５（ｂ）
【発明を実施するための形態】
【００３０】
以下、バイパス回路等の実施形態について図面を参照して説明する。なお、実施の形態において同じ符号を付した構成要素は同様の動作を行うので、再度の説明を省略する場合がある。
【００３１】
（実施の形態１）
図１は、本実施の形態におけるバイパス回路を示す図（図１（ａ））、およびその変形例を示す図（図１（ｂ）〜１（ｅ））である。ここでは、電力機器である変圧器１０と接続された二次側配線が、電力線通信が行なわれる回路（図示せず）等と接続されているとともに、変圧器１０と接続された二次側配線がバイパス回路２０と接続されている場合を例に挙げて説明する。
【００３２】
以下、本実施の形態のバイパス回路２０について図１（ａ）を用いて説明する。変圧器１０は、一次巻線１０１、二次巻線１０２、鉄心１０３を備えている。変圧器１０は、例えば、配電用の変圧器である。配電用の変圧器とは、例えば、発電設備や変電設備から送電される高圧の電圧を、需要家が利用可能な低電圧に変圧して配電するための変圧器である。配電用の変圧器としては、例えば、変電設備等から送電される６ｋＶ程度の高圧の電流を、例えば２００Ｖや１００Ｖの電圧に変圧して一般家庭に配電するための柱上変圧器等がある。本実施の形態においては、変圧器１０が、単相三線式の変圧器である場合を例に挙げて説明する。ただし、他の構造の変圧器であってもよい。
【００３３】
一次巻線１０１は、両端に第一の一次側配線Ｐ１および第二の一次側配線Ｐ２が接続されている。一次側配線とは、変圧器の一次巻線の両端にそれぞれ接続された配線である。第一の一次側配線Ｐ１および第二の一次側配線Ｐ２は、例えば、一次巻線１０１を構成する導線の延長であっても良く、この場合も、一次巻線１０１に接続された配線と考えてよい。なお、以下、変圧器１０と接続された一次側配線（具体的には、変圧器１０の一次巻線１０１と接続された一次側配線）を変圧器１０の一次側配線と呼ぶ。一次巻線１０１は、通常、高圧側の巻線として用いられる。一次巻線１０１の第一の一次側配線Ｐ１および第二の一次側配線Ｐ２は、例えば、高圧線（一般的に６ｋＶ）に接続される。
【００３４】
二次巻線１０２は、両端に第一の二次側配線Ｌ１および第二の二次側配線Ｌ２が接続されている。二次側配線とは、変圧器の二次巻線の両端に接続された配線である。二次側配線Ｌ１およびＬ２は、二次巻線１０２を構成する導線の延長であっても良く、この場合も、二次巻線の両端に接続された配線と考えてもよい。なお、以下、変圧器１０と接続された二次側配線（具体的には、変圧器１０の二次巻線１０２と接続された二次側配線）を変圧器１０の二次側配線と呼ぶ。二次巻線１０２は、通常、低圧側の巻線として用いられる。第一の二次側配線Ｌ１および第二の配線Ｌ２は、例えば、低圧線（一般的に１００または２００Ｖ）に接続される。第一の二次側配線Ｌ１および第二の二次側配線Ｌ２は電力線と考えてもよい。
【００３５】
なお、ここでは図示を省略しているが、変圧器１０が単相三線式であるため、二次巻線１０２の中央には、中性線が接続されている。中性線は、例えば、接地線として用いられる。通常、第一の二次側配線Ｌ１と中性線との間の電位差と、第二の二次側配線Ｌ２と中性線との間の電位差とが等しい電位差となるよう中性線が接続されている。変圧器１０の詳細な構成については、公知技術であるため、ここでは説明は省略する。
【００３６】
バイパス回路２０は、電力線通信用のバイパス回路である。電力線通信は、電力線搬送通信等とも呼ばれる。電力線通信用のバイパス回路とは、例えば、変圧器等の電力線通信用の信号が通過しにくい電力機器に接続することで、電力線通信の信号を通過できるようにするための回路である。バイパス回路２０は、電力線通信の信号を通過させるための素子を備えたバイパス回路である。
【００３７】
バイパス回路２０は、電力線通信に用いられる周波数におけるバイパス回路２０に関する共振を低減させたバイパス回路２０である。バイパス回路２０に関する共振とは、バイパス回路２０自身や、その一部による共振であってもよく、バイパス回路２０を含む回路の共振であってもよい。バイパス回路２０を含む回路の共振は、例えば、バイパス回路２０またはその一部と、変圧器１０等の電力機器またはその一部とにより構成される回路の共振であってもよく、これらの共振の２以上が組み合わさったものでも、合成されたものであってもよい。バイパス回路２０の一部による共振は、例えば、バイパス回路２０を構成する素子であるコンデンサ２０１のＥＳＲとＥＳＬとによる自己共振であってもよい。また、バイパス回路２０の一部と変圧器１０の一部との共振は、例えば、バイパス回路２０のコンデンサ２０１と、変圧器１０の二次巻線（コイル）１０２とで構成される並列回路の並列共振（反共振）である。また、バイパス回路２０を含む回路の共振は、バイパス回路２０を含む直列共振回路の直列共振であってもよく、バイパス回路２０を含む並列共振回路の並列共振であってもよい。
【００３８】
電力線通信に用いられる周波数におけるバイパス回路２０に関する共振を低減させたバイパス回路２０とは、例えば、電力線通信に用いられる周波数において、バイパス回路２０に関する共振が起こらないようにしたバイパス回路であり、例えば、このバイパス回路２０に関する共振の共振周波数を、電力線通信に用いられる周波数とは異なる周波数としたバイパス回路である。また、電力線通信に用いられる周波数におけるバイパス回路２０に関する共振を低減させたバイパス回路２０とは、例えば、バイパス回路２０に関する共振の共振周波数が電力線通信に用いられる周波数であるバイパス回路であって、共振周波数における共振の強さを低減させたバイパス回路や、共振が電力線通信に与える影響を低減させたバイパス回路であってもよく、電力線通信に用いられる周波数と同じ共振周波数を有する共振をなくしたバイパス回路であってもよい。バイパス回路２０に関する共振を低減させたバイパス回路２０とは、例えば、バイパス回路２０に関する共振が並列共振である場合、共振周波数におけるバイパス回路２０を有する回路のインピーダンスの極大値を小さくしたバイパス回路２０であってもよく、バイパス回路２０に関する共振が直列共振である場合、共振周波数におけるバイパス回路２０を有する回路のインピーダンスの極小値を大きくしたバイパス回路２０であってもよい。
【００３９】
なお、以下、本実施の形態においては、バイパス回路２０が、このバイパス回路２０に関する共振周波数を、電力線通信に用いられる周波数以外としたバイパス回路である場合について説明する。ここでは特に、電力線通信の信号を通過させるための素子としてコンデンサ２０１を備えた回路であり、このコンデンサ２０１の容量を、バイパス回路に関する共振周波数が電力線通信に用いられる周波数以外の周波数となる容量としたバイパス回路である例について説明する。電力線通信に用いられる周波数、およびコンデンサ２０１の容量については後述する。
【００４０】
バイパス回路２０のコンデンサ２０１は、変圧器１０の第一の二次側配線Ｌ１と第二の二次側配線Ｌ２とに接続されている。コンデンサ２０１と、変圧器１０の二次巻線１０２とは、変圧器１０の二次側に接続される回路（図示せず）からみて、並列回路を構成している。
【００４１】
コンデンサ２０１は、例えば、変圧器１０を通過させることができない電力線通信の信号を通過させて、二次巻線１０２の第一の一次側配線Ｐ１と第二の一次側配線Ｐ２との間で、電力線通信を可能とするとともに、二次巻線１０２を流れる低周波数の電力（例えば、５０Ｈｚまたは６０Ｈｚ等の商用周波数等の電力）を通過させないようにしている。コンデンサ２０１としては、長寿命のコンデンサを用いることが好ましく、セラミックコンデンサおよびフィルムコンデンサ等の、高耐圧かつ高寿命のコンデンサを用いることが好ましい。
【００４２】
変圧器１０の二次側に接続されているバイパス回路２０を除いた回路、例えば、二次側配線Ｌ１およびＬ２と接続されている回路は、どのような回路であってもよい。この変圧器１０の二次側に接続されている回路は、例えば、電力線通信が利用可能な回路であり、変圧器１０の二次側配線に接続された電力線通信用のモデム等を有する回路である。
【００４３】
次に、本実施の形態のバイパス回路２０の動作等について説明する。なお、ここではバイパス回路２０の説明にあたって、まず、電力線通信の信号を通過させるための素子としてコンデンサを備えたバイパス回路の参考例について説明する。
【００４４】
本願発明者らは、鋭意研究を重ねた結果、変圧器等の１以上の電力機器と接続された二次側配線を、電力線通信の信号を通過させるための素子を介して接続して電力線通信を可能とするバイパス回路であって、電力線通信の信号を通過させるための素子としてコンデンサを備えたバイパス回路を発明するに至っている。
【００４５】
図２（ａ）は、このようなコンデンサを備えたバイパス回路の参考例を説明するための図であり、図２（ｂ）は、コンデンサとインダクタとで構成された図示しない並列回路の一例についての周波数とインピーダンスとの関係を説明するための模式図であり、図２（ｃ）は、電力線通信に用いられる信号の周波数と出力電力との関係を示すグラフである。図２（ａ）では、図１（ａ）と同様に、変圧器１０と接続された二次側配線が、電力線通信が行なわれる回路（図示せず）等と接続されているとともに、変圧器１０と接続された二次側配線Ｌ１およびＬ２との間にバイパス回路９０が接続されている例を示している。図２（ｃ）のグラフは、スペクトルアナライザによる解析結果を示す図である。
【００４６】
変圧器１０においては、二次巻線１０２によって電力線通信の信号が大きく減衰するため、第一の二次側配線Ｌ１と第二の二次側配線Ｌ２との間で行なわれる電力線通信の通信品質が大きく低下する場合がある。しかし、図２（ａ）に示した参考例のバイパス回路９０を、例えば、変圧器１０の第一の二次側配線Ｌ１および第二の二次側配線Ｌ２に対して接続すると、コンデンサ２００が、低周波数では高インピーダンスとなり、高周波数では低インピーダンスとなるため、商用周波数の電力は通過させず、電力に重畳されて送信された電力線通信の高周波の信号だけを通過させることとなる。これにより、電力の送信に影響を与えることなく、１以上の変圧器と接続された配線間において、電力線通信の通信品質を向上させることができる。
【００４７】
その一方で、上記のようにバイパス回路９０を接続すると、変圧器１０の二次巻線１０２と、バイパス回路９０のコンデンサ２００とが並列回路を構成することとなり、この並列回路が並列共振回路となって並列共振が起こる。通常、並列共振回路においては、回路を流れる信号の周波数と、インピーダンスとの関係は、図２（ｂ）に示すような関係となり、共振周波数ｆにおいてインピーダンスが極大値となる。この共振周波数ｆが、電力線通信に用いられる周波数であると、並列共振の影響によって、電力線通信の信号が大きく減衰して通信速度の低下等が起こり、電力線通信の品質が劣化してしまう。
【００４８】
電力線通信に用いられる周波数帯とは、例えば、電力線通信用として設定されている周波数帯であってもよく、この電力線通信用に設定されている周波数から、１以上のいわゆるノッチ周波数を除外した周波数帯であってもよい。ノッチ周波数は、例えば、アマチュア無線等の特定の用途向けの、電力線通信において利用されていない周波数である。電力線通信用として設定されている周波数帯は、例えば、約２Ｍ〜３０ＭＨｚの周波数帯である。ただし、これ以外の周波数帯であってもよい。例えば、電力線通信用の周波数帯は、電力線通信の規格や、電力線通信を行なう国の規制等により定められた周波数帯であってもよい。ノッチ周波数は、この周波数帯のうちの一部の周波数帯である。例えば、図２（ｃ）に示す電力線通信における周波数帯毎の出力電力を示すグラフにおいて、領域２ａで示す周波数帯が電力線通信に利用される周波数帯であり、この領域２ａ内の、出力電力が低くなっている部分２ｂに対応する周波数がノッチ周波数である。例えば、領域２ａが示す範囲から部分２ｂが示す範囲を除外した周波数帯が、電力線通信に用いられる周波数帯である。
【００４９】
バイパス回路２０に関する共振周波数がこのような周波数帯内の周波数である場合、電力線通信の品質が低下してしまう。例えば、仮に、図２（ａ）に示した参考例において、変圧器１０の二次巻線１０２と、バイパス回路９０のコンデンサ２００とで構成される並列共振回路の共振周波数Ｆが、電力線通信において利用される周波数帯内の周波数であったとすると、電力線通信の品質が低下してしまうという問題が生じる。
【００５０】
本実施の形態は、このような問題を避けるために、図１（ａ）に示すように、バイパス回路２０のコンデンサ２０１として、変圧器１０の二次巻線１０２と、バイパス回路２０のコンデンサ２０１と、で構成される並列回路の並列共振の共振周波数が、電力線通信に用いられる周波数帯以外の周波数になる容量のコンデンサを用いるようにしたものである。
【００５１】
共振回路において共振周波数ｆは、
【数１】
2019176304.tif 000003
（Ｌはインダクタのインダクタンス、Ｃはコンデンサの容量）
と表される。
【００５２】
バイパス回路２０と変圧器１０の二次巻線１０２とで構成される並列共振回路の場合、インダクタンスＬは、二次巻線１０２のインダクタンスとなり、容量Ｃは、バイパス回路２０のコンデンサ２０１の容量となる。このため、変圧器１０の二次巻線１０２と、バイパス回路２０のコンデンサ２０１と、で構成される並列回路の共振周波数ｆが、電力線通信に用いられる周波数とならないように、コンデンサ２０１の容量Ｃを設定すればよい。例えば、共振周波数ｆが、ノッチ周波数の一つと一致するように、コンデンサ２０１の容量を設定してもよく、共振周波数ｆが、電力線通信に設定された周波数帯外の周波数となるよう、コンデンサ２０１の容量を設定してもよい。例えば、共振周波数が、２ＭＨｚ未満の周波数、３０ＭＨｚより高い周波数、またはノッチ周波数となるように、コンデンサ２０１の容量を設定する。コンデンサ２０１をこのような容量とすることで、共振周波数を電力線通信に用いられる周波数以外の周波数とすることができる。共振周波数を、電力線通信に用いられる周波数以外の周波数とすることによって、バイパス回路２０に関する共振、ここでは、二次巻線１０２とバイパス回路２０のコンデンサ２０１との並列共振が電力線通信に与える影響を抑えて、高品質な電力線通信を提供することができる。
【００５３】
以上、本実施の形態によれば、バイパス回路２０のコンデンサ２０１の容量を、共振周波数が電力線通信に用いられる周波数とならないような容量に設定することで、高品質な電力線通信を提供することができる。
【００５４】
なお、上記においては、バイパス回路２０を電力機器である変圧器１０と接続したが、バイパス回路２０を、変圧器１０以外の電力機器と接続するようにしてもよい。ここでの電力機器は、例えば、系統側の電力の電圧を変換する機器や、系統側の電力を負荷側に配電する機器や、系統側と負荷側との接続および遮断を行なう機器等である。また、バイパス回路２０を、変圧器１０の二次側配線Ｌ１およびＬ２の間に接続したが、バイパス回路２０を、変圧器等の電力機器の一次側配線と二次側配線との間（例えば、一次側配線Ｐ１と二次側配線Ｌ１との間や、１維持側配線Ｐ２と二次側配線Ｌ２との間）に接続してもよく、バイパス回路２０を異なる電力機器の二次側配線間に接続してもよい。
【００５５】
なお、上記においては、バイパス回路２０のコンデンサ２０１の容量を、共振周波数が電力線通信に用いられる周波数とならない容量に設定したが、バイパス回路が、バイパス回路自身に関する共振周波数が電力線通信に用いられる周波数以外の周波数となるよう、電力線通信の信号を通過させるための素子であるコンデンサに対して接続された１以上のコンデンサまたは１以上のインダクタを有するようにしてもよい。
【００５６】
（第一の変形例）
例えば、図１（ｂ）に示すように、図２（ａ）に示した参考例のバイパス回路９０において、電力線通信の信号を通過させるための素子であるコンデンサ２００に対して直列にコンデンサ２０２を接続するようにしたバイパス回路２１を、バイパス回路２０の代わりに設けてもよい。このとき、コンデンサ２０２は、コンデンサ２００に対し、変圧器１０の第一の二次側配線Ｌ１側に接続してもよく、第二の二次側配線Ｌ２側に接続してもよい。このコンデンサ２０２の容量は、コンデンサ２００とコンデンサ２０２との合成容量が、図１（ａ）のバイパス回路２０において説明したコンデンサ２０１と同様の容量となるようにする。このようにコンデンサ２００に対して直列にコンデンサ２０２を接続することで、直列に接続したコンデンサ２００とコンデンサ２０２とが、コンデンサ２０１と等価となり、変圧器１０の二次巻線１０２とバイパス回路２１とにおいて起こる共振の共振周波数を電力線通信に用いられる周波数以外の周波数とすることができ、上記と同様の効果を奏する。なお、直列接続するコンデンサ２００およびコンデンサ２０２は、同じ容量のものを用いることが好ましい。例えば、コンデンサを直列接続すると合成容量は半分になるため、それぞれがコンデンサ２０１の２倍の容量を有するコンデンサ２００およびコンデンサ２０２を、直列接続することが好ましい。
【００５７】
（第二の変形例）
また、例えば、図１（ｃ）に示すように、図２（ａ）に示した参考例のバイパス回路９０において、電力線通信の信号を通過させるための素子であるコンデンサ２００に対して並列にコンデンサ２０３を接続するようにしたバイパス回路２２を、バイパス回路２０の代わりに設けてもよい。このコンデンサ２０３の容量は、コンデンサ２００とコンデンサ２０３との合成容量が、図１（ａ）のバイパス回路２０において説明したコンデンサ２０１と同様の容量となるようにする。このようにすることで、並列に接続したコンデンサ２００とコンデンサ２０３とが、コンデンサ２０１と等価となり、変圧器１０の二次巻線１０２とバイパス回路２２とにおいて起こる共振の共振周波数を電力線通信に用いられる周波数以外の周波数とすることができ、上記と同様の効果を奏する。なお、並列接続するコンデンサ２００およびコンデンサ２０３は、同じ容量のものを用いることが好ましい。例えば、コンデンサを並列接続すると合成容量は２倍になるため、それぞれがコンデンサ２０１の半分の容量を有するコンデンサ２００およびコンデンサ２０２を、並列接続することが好ましい。
【００５８】
（第三の変形例）
また、例えば、図１（ｄ）に示すように、図２（ａ）に示した参考例のバイパス回路９０において、電力線通信の信号を通過させるための素子であるコンデンサ２００に対して直列にインダクタ２０４を接続するようにしたバイパス回路２３を、バイパス回路２０の代わり設けてもよい。このとき、インダクタ２０４は、コンデンサ２００に対し、変圧器１０の第一の二次側配線Ｌ１側に接続してもよく、第二の二次側配線Ｌ２側に接続してもよい。例えば、このインダクタ２０４のインダクタンスを、このインダクタ２０４のインダクタンスと変圧器１０の二次巻線１０２のインダクタンスとの合成インダクタンスを上記の式（１）のＬとして代入した場合の共振周波数ｆが、電力線通信に用いられる周波数以外の周波数となる値となるインダクタンスとすることで、変圧器１０の二次巻線１０２とバイパス回路２３とにおいて起こる共振の共振周波数を電力線通信に用いられる周波数以外の周波数とすることができ、上記と同様の効果を奏する。
【００５９】
（第四の変形例）
また、例えば、図１（ｅ）に示すように、図２（ａ）に示した参考例のバイパス回路９０において、電力線通信の信号を通過させるための素子であるコンデンサ２００に対して並列にインダクタ２０５を接続するようにしたバイパス回路２４を、バイパス回路２０の代わり設けてもよい。このインダクタ２０５のインダクタンスを、このインダクタ２０５のインダクタンスと変圧器１０の二次巻線１０２との合成インダクタンスが、図１（ｄ）のバイパス回路２３と同様の合成インダクタンスとなるようにすることで、バイパス回路２４をバイパス回路２３と等価として、変圧器１０の二次巻線１０２とバイパス回路２４とにおいて起こる共振の共振周波数を電力線通信に用いられる周波数以外の周波数とすることができ、上記と同様の効果を奏する。
【００６０】
なお、コンデンサまたはインダクタを接続するということは、コンデンサおよびインダクタの少なくとも一方を接続することも含むと考えてもよく、例えば、１または２以上のコンデンサと、１または２以上のインダクタとの両方を、バイパス回路９０の電力線通信の信号を通過させるための素子であるコンデンサに対して、それぞれ直列または並列となるよう接続することも含む概念である。例えば、図１（ｂ）に示したバイパス回路２１において、更に、インダクタ等をコンデンサ２００に対して並列接続するようにしてもよい。かかることは、以下においても同様である。
【００６１】
また、図１（ｄ）に示したバイパス回路２３においては、コンデンサ２００に対して、インダクタ２０４を直列に接続したが、インダクタ２０４を直列に接続する代わりに、コンデンサ２００に接続された配線の長さを、バイパス回路に関する共振周波数が前記電力線通信に用いられる周波数以外の周波数となる長さとしてもよい。配線自体もインダクタと同様にインダクタンスを有することから、配線長を調整することは、コンデンサ２００に対して接続するインダクタのインダクタンスを変更することと実質的に同じこととなる。このため、コンデンサ２００に対して接続する配線の配線長を、配線によるインダクタンスと、変圧器１０の二次巻線１０２のインダクタンスとの合成インダクタンスが図１（ｄ）と同様の合成インダクタンスが得られる長さとすることで、変圧器１０の二次巻線１０２とバイパス回路とにおいて起こる共振の共振周波数を電力線通信に用いられる周波数以外の周波数とすることができ、上記と同様の効果を奏する。直列共振回路の共振周波数も上述した式（１）と同様の式で表されるため、例えば、インダクタやコンデンサを適宜接続したり、配線長を変更したりして、直列共振回路のインダクタのインダクタンスやコンデンサの容量を変更することで、共振周波数を、電力線通信に用いられる周波数以外の周波数とすることが可能となる。
【００６２】
なお、上記においては、バイパス回路を含む回路が、並列共振回路を構成する例について説明したが、直列共振回路を構成する場合においても適用できる。例えば、バイパス回路の接続する位置や接続する配線を変更した場合や、バイパス回路が接続される電力機器が変圧器でない場合や、バイパス回路のコンデンサ等が異なる場合等においては、バイパス回路を含む回路が直列共振回路となることも考えられるが、このような場合においても、バイパス回路の電力線通信の信号を通過させる素子であるコンデンサに対して、インダクタを接続したり、コンデンサを接続したり、配線長を変更したりすることで、直列共振の共振周波数を、電力線通信に用いられる周波数以外の周波数とすることで、上記実施の形態と同様の効果を奏する。
【００６３】
また、上記実施の形態においては、バイパス回路を変圧器１０の二次側配線間に接続したが、上述したように、バイパス回路やバイパス回路を有する回路が直列共振回路であっても、並列共振回路あっても、インダクタやコンデンサを適宜接続したり、配線長を変更したりすることによって、共振周波数を、電力線通信に用いられる周波数以外の周波数とすることが可能であることから、バイパス回路は、バイパス回路として利用可能であれば、変圧器１０等の電力機器と接続された配線に対してどのように接続するようにしてもよく、このよう場合においても、上記実施の形態と同様の効果を奏する。
【００６４】
例えば、バイパス回路が、変圧器１０の一次側配線の一つ（例えば、一次側配線Ｐ１）と、二次側配線の一つ（例えば、二次側配線Ｌ１）とを接続するよう設けられていても、バイパス回路の電力線通信の信号を通過させる素子であるコンデンサに対して、インダクタを接続したり、コンデンサを接続したり、配線長を変更したりすることで、このバイパス回路を有する共振回路の共振周波数を、電力線通信に用いられない周波数に変更して、電力線通信の品質を向上させることができる。
【００６５】
（実施の形態２）
図３は、本実施の形態のバイパス回路を示す図（図３（ａ））、コンデンサとインダクタとが直列回路を構成している場合の、この直列回路の周波数とインピーダンスとの関係を示す模式図（図３（ｂ））、および本実施の形態のバイパス回路の変形例を示す図（図３（ｃ））である。図において、図１および図２と同一符号は同一または相当する部分を示している。なお、図３（ｂ）は、図示しない一例の直列回路の周波数とインピーダンスとの関係を説明するための模式図であるとする。
【００６６】
本実施の形態のバイパス回路３０は、図３（ａ）に示すように、バイパス回路に関する共振周波数が電力線通信に用いられる周波数である場合であって、この共振周波数のインピーダンスが極大値を取る時に、この極大値が小さくなるように、バイパス回路３０が有する電力線通信の信号を通過させるための素子であるコンデンサに対して、コンデンサまたはインダクタを接続するようにしたものである。
【００６７】
図２（ｂ）に示したように、バイパス回路と変圧器１０の二次巻線１０２とが並列共振回路を構成する場合、共振周波数ｆにおけるインピーダンスが極大値を取ることとなる。この共振周波数ｆが電力線通信に用いられる周波数であると、電力線通信の信号が減衰して、通信の品質を劣化させてしまうこととなる。しかし、この極大値のインピーダンスの値を、小さくすることで、通信の品質の劣化を抑えて、品質のよい電力線通信を提供することが可能となる。
【００６８】
本実施の形態においては、図２（ａ）に示した参考例のバイパス回路９０の、電力線通信の信号を通過させるための素子であるコンデンサ２００に対して、コンデンサまたはインダクタを接続するようにした図３（ａ）に示すようなバイパス回路３０を用いることで、共振周波数におけるインピーダンスの極大値を小さくなるようにして、通信の品質の劣化を抑えて、品質のよい電力線通信を提供するようにしたものである。
【００６９】
バイパス回路３０は、コンデンサ２００と、このコンデンサ２００に直列に接続されたインダクタ３０１と、コンデンサ３０２とを備えている。ここでは、インダクタ３０１およびコンデンサ３０２をそれぞれ打消用インダクタ３０１および打消用コンデンサ３０２と称す。打消用インダクタ３０１および打消用コンデンサ３０２は、変圧器１０の第一の二次側配線Ｌ１側に接続されていてもよく、第二の二次側配線Ｌ２側に接続されていてもよい。また、打消用インダクタ３０１と打消用コンデンサ３０２とが配置される順番は問わない。この打消用インダクタ３０１と打消用コンデンサ３０２とは直列共振回路を構成している。また、打消用インダクタ３０１および打消用コンデンサ３０２としては、この直列共振回路の共振周波数が、上述したコンデンサ２００と変圧器１０の二次巻線１０２とで構成される並列共振回路の共振周波数ｆと同じ周波数となるインダクタンスのインダクタ３０１および容量のコンデンサがそれぞれ用いられているものとする。
【００７０】
通常、直列接続されたインダクタおよびコンデンサにより構成される直列共振回路の、周波数とインピーダンスとの関係は、図３（ｂ）のように下方に向かって凸となる関係を有し、共振周波数において、インピーダンスが極小値となる。つまり、図２（ｂ）に示したようなバイパス回路９０のコンデンサ２００と変圧器１０の二次巻線１０２とで構成される並列共振回路の周波数とインピーダンスとの関係のような、共振周波数において極大値を有する上方に向かって凸となる関係とは逆の関係となる。このため、図２（ａ）に示したバイパス回路９０において、コンデンサ２００に対して、打消用インダクタ３０１と打消用コンデンサ３０２と直列に接続して、図３（ａ）のようにするとともに、この打消用インダクタ３０１のインダクタンスと、打消用コンデンサ３０２の容量とを、この打消用インダクタ３０１と打消用コンデンサ３０２とで構成される直列共振回路の共振周波数が、バイパス回路９０のコンデンサ２００を含む並列共振回路の共振周波数ｆと同じ周波数となるようにすることで、共振周波数ｆにおけるインピーダンスの極大値を、打消用インダクタ３０１と打消用コンデンサ３０２とを直列に接続した回路の、共振周波数におけるインピーダンスの極小値で打ち消して、インピーダンスの極大値が低くなるようにすることができ、コンデンサ２００を含む並列共振回路の共振周波数が、電力通信線に用いられる周波数であっても、並列共振による電力線通信の信号の減衰等を抑えることができる。
【００７１】
なお、このバイパス回路３０は、バイパス回路３０に関する共振が並列共振である場合に、電力線通信の信号を通過させる素子であるコンデンサ２００に対して、バイパス回路３０に関する共振の共振周波数と同じ共振周波数で直列共振する、コンデンサまたはインダクタを有する回路を接続したバイパス回路と考えてもよい。
【００７２】
以上、本実施の形態においては、バイパス回路３０に関する共振周波数、すなわちバイパス回路３０のコンデンサ２００と変圧器１０の二次巻線１０２とにより構成される並列共振回路の共振周波数が、電力線通信に用いられる周波数である場合であって、この共振周波数のインピーダンスが極大値を取る時に、バイパス回路３０が、この極大値が小さくなるように、コンデンサ２００に対して直列に接続された打消用インダクタ３０１および打消用コンデンサ３０２を備えるようにしたことにより、並列共振による電力線通信の信号の減衰等を抑えて、高品質な電力線通信を提供することができる。
【００７３】
なお、ここでは、バイパス回路３０のコンデンサ２００に対して直列に接続された打消用インダクタ３０１および打消用コンデンサ３０２を設けたが、共振周波数におけるインピーダンスの極大値を小さくすることが可能であれば、バイパス回路は、コンデンサ２００に対して、どのように接続された１以上のインダクタまたはコンデンサを有していてもよい。例えば、バイパス回路は、コンデンサ２００に加えて、打消用インダクタまたは打消用コンデンサの一方だけを有していてもよい。
【００７４】
また、バイパス回路に関する共振周波数（例えば、バイパス回路のコンデンサ２００と変圧器１０の二次巻線１０２とにより構成される並列共振回路の共振周波数）が、電力線通信に用いられる周波数である場合であって、この共振周波数のインピーダンスが極大値を取る時に、上記のように、打消用インダクタまたは打消用コンデンサを設ける代わりに、またはこれらを設けるとともに、バイパス回路の電力線通信の信号を通過させるための素子であるコンデンサ２００に接続された配線の長さを、上記の極大値が小さくなる長さとしてもよい。
【００７５】
（変形例）
なお、上記においては、バイパス回路３０のコンデンサ２００と、電力機器である変圧器１０の二次巻線１０２とが並列共振回路を構成して、並列共振を起こす場合について説明したが、例えば、バイパス回路の接続する位置や接続する配線を変更する場合や、バイパス回路が接続される電力機器が変圧器でない場合や、バイパス回路のコンデンサ等が異なる場合等においては、バイパス回路を含む回路が並列共振回路とならず、直列共振回路となって直列共振が起こることがある。以下、本実施の形態の変形例として、直列共振による電力線通信への影響を抑えるようにしたバイパス回路について図３（ｃ）を用いて説明する。
【００７６】
例えば、仮に、図２（ａ）に示したようなコンデンサ２００を備えた参考例のバイパス回路９０が、並列共振回路ではなく直列共振回路を構成するよう、電力線通信が行なわれる回路（図示せず）等と二次側配線が接続された電力機器（図示せず）と接続されており、この結果、バイパス回路９０に関する共振として、直列共振が起こっていたとする。
【００７７】
バイパス回路９０を含む回路が直列共振回路を構成する場合、この直列共振回路の周波数とインピーダンスとの関係は、図３（ｂ）のようになり、インピーダンスが極小値となる周波数が共振周波数となる。この共振周波数が、仮に、電力線通信に用いられる周波数であると、上記と同様に、電力線通信の品質が低下してしまう。
【００７８】
図３（ｃ）に示した本実施の形態の変形例のバイパス回路３１は、このような直列共振回路を構成するバイパス回路９０のコンデンサ２００に対して、並列に接続されたインダクタ３０３（以下、打消用インダクタ３０３と称す）とコンデンサ３０４（以下、打消用コンデンサ３０４と称す）とを直列に接続したものである。この打消用インダクタ３０３と打消用コンデンサ３０４とは並列共振回路を構成していると考えてもよい。打消用インダクタ３０３および打消用コンデンサ３０４としては、この並列共振回路の共振周波数が、上述したバイパス回路９０を含む直列共振回路の共振周波数と同じ周波数となるインダクタンスの打消用インダクタ３０３および容量の打消用コンデンサ３０４が用いられているものとする。
【００７９】
打消用インダクタ３０３および打消用コンデンサ３０４とで構成される並列共振回路の周波数とインピーダンスとの関係は、図２（ｂ）に示したような共振周波数において極大値を有する上方に向かって凸となる関係を有しており、図３（ｂ）に示したようなバイパス回路９０を含む直列共振回路のように、共振周波数において極小値を有する下方に向かって凸となる関係とは逆の関係となる。このため、バイパス回路３１を、並列に接続された打消用インダクタ３０３および打消用コンデンサ３０４を、コンデンサ２００に対して直列に接続した回路とするとともに、この打消用インダクタ３０３および打消用コンデンサ３０４で構成される並列回路の並列共振の共振周波数が、上述したバイパス回路９０を含む直列共振回路の共振周波数と同じ周波数である回路となるようにすることで、バイパス回路９０を含む直列共振回路の共振周波数におけるインピーダンスの極小値を、打消用インダクタ３０３と打消用コンデンサ３０４とを並列に接続した回路の共振周波数におけるインピーダンスの極大値で打ち消して、インピーダンスの極小値を高くすることができ、コンデンサ２００を含む直列共振回路の共振周波数が、電力通信線に用いられる周波数であっても、直列共振による電力線通信の信号の減衰等を抑えることができる。
【００８０】
なお、このバイパス回路３１は、バイパス回路３１に関する共振が直列共振である場合に、電力線通信の信号を通過させる素子であるコンデンサに対して、バイパス回路に関する共振周波数と同じ共振周波数で並列共振する、コンデンサまたはインダクタを有する回路を接続したバイパス回路と考えてもよい。
【００８１】
このように、この変形例においては、バイパス回路３１に関する共振周波数、すなわちバイパス回路３１のコンデンサ２００を含む直列共振回路の共振周波数が、電力線通信に用いられる周波数である場合であって、この共振周波数のインピーダンスが極小値を取る時、この極小値が大きくなるよう、コンデンサ２００に対して、並列接続された打消用インダクタ３０３および打消用コンデンサ３０４を、直列接続するようにしたことにより、直列共振による電力線通信の信号の減衰等を抑えて、高品質な電力線通信を提供することができる。
【００８２】
なお、ここでは、バイパス回路３１のコンデンサ２００に対して、並列に接続された打消用インダクタ３０３および打消用コンデンサ３０４を直列に接続した場合について説明したが、共振周波数におけるインピーダンスの極小値を大きくすることが可能であれば、バイパス回路は、コンデンサ２００に対してどのように接続された１以上のインダクタまたはコンデンサを有するようにしてもよい。例えば、バイパス回路は、コンデンサ２００に加えて、インダクタまたはコンデンサの一方だけを有していてもよい。
【００８３】
また、バイパス回路に関する共振周波数（例えば、バイパス回路のコンデンサ２００を含む直列共振回路の共振周波数）が、電力線通信に用いられる周波数である場合であって、この共振周波数のインピーダンスが極小値を取る時に、上記のように、打消用インダクタまたは打消用コンデンサを設ける代わりに、またはこれらを設けるとともに、バイパス回路の電力線通信の信号を通過させるための素子であるコンデンサ２００に接続された配線の長さを、上記の極小値が大きくなる長さとしてもよい。
【００８４】
なお、上記実施の形態２においては、バイパス回路を変圧器１０の二次側配線間に接続したが、上述したように、バイパス回路やバイパス回路を有する回路が直列共振回路となって共振周波数におけるインピーダンスが最小値となる時であっても、バイパス回路やバイパス回路を有する回路が並列共振回路となって共振周波数におけるインピーダンスが最大値となる時であっても、上記のようにインダクタやコンデンサを適宜接続することにより、共振周波数における極大値の値を小さくしたり、極小値の値を大きくしたりすることが可能である。例えば、バイパス回路やバイパス回路を有する回路が直列共振回路となる時は、並列共振回路となるインダクタやコンデンサを電力線通信の信号を通過させる素子に対して直列に接続することにより、共振周波数における極小値の値を大きくすることが可能である。また、バイパス回路やバイパス回路を有する回路が並列共振回路となる時は、直列共振回路となるインダクタやコンデンサを電力線通信の信号を通過させる素子に対して直列に接続することにより、共振周波数における極大値の値を小さくすることが可能となる。このため、バイパス回路は、上記実施の形態１と同様に、バイパス回路として利用可能であれば、変圧器１０等の電力機器と接続された配線に対してどのように接続するようにしてもよく、このような場合においても、上記と同様の効果を奏する。
【００８５】
（実施の形態３）
図４は、本発明の実施の形態３にかかるバイパス回路を示す図である。バイパス回路４０は、図２（ａ）に示した参考例のバイパス回路９０において、電力線通信の信号を通過させる素子であるコンデンサ２００に対して接続されたダンピング抵抗４０１を設けたものである。
【００８６】
例えば、ダンピング抵抗４０１は、バイパス回路９０のコンデンサ２００に対して直列に接続される。ダンピング抵抗を共振回路に接続することによって、Ｑ値を低くして、共振周波数におけるインピーダンスの極大値を下げる、または極小値を上げることができ、共振による電力線通信の信号の減衰等を抑えることができる。
【００８７】
以上、本実施の形態においては、バイパス回路９０の電力線通信の信号を通過させる素子であるコンデンサ２００に対して接続したダンピング抵抗を設けたことにより、共振による電力線通信の信号の減衰等を抑え、品質のよい電力線通信を提供することができる。
【００８８】
なお、上記実施の形態３のバイパス回路は、上記実施の形態１と同様に、バイパス回路として利用可能であれば、変圧器１０等の電力機器と接続された配線に対してどのように接続するようにしてもよく、どのように接続した場合においても、上記と同様の効果を奏する。
【００８９】
また、上記各実施の形態においては、バイパス回路が、電力線通信の信号を通過させる素子としてコンデンサを備えている例について説明したが、バイパス回路が備えている電力線通信の信号を通過させる素子は、コンデンサでなくてもよい。例えば、バイパス回路は、コンデンサ以外の電力線通信の信号を通過させる素子を備えていてもよい。また、バイパス回路が備えている電力線通信の信号を通過させる素子は、一つであってもよく、複数であってもよい。例えば、バイパス回路が備えている電力線通信の信号を通過させる素子は、実質的には一つの素子として機能する複数の素子であってもよい。バイパス回路が備えている電力線通信の信号を通過させる素子は、例えば、コンデンサや、フェライトコアを有する変圧器等である。ただし、ここでのフェライトコアを有する変圧器は、系統側の電力を、負荷側の電力に変圧するための変圧器を除くと考えてよい。
【００９０】
例えば、トランスとして機能する分割型のコアを、電力機器の両側における２本の配線にそれぞれ配置してケーブル接続するとともに、電力機器と配線との接続端間にキャパシタを配置した従来の技術において説明した特許文献１のようなバイパス回路の代わりに、このバイパス回路の電力線通信の信号を通過させる素子であるトランスとして機能する分割型のコアやキャパシタに対して、上記実施の形態１のように、バイパス回路に関する共振の共振周波数が電力線通信に用いられない周波数となるよう、所定の容量のコンデンサや、所定のインダクタンスのインダクタを接続したバイパス回路や、配線長を変更したバイパス回路を用いるようにしてもよい。
【００９１】
また、上記実施の形態２のように、バイパス回路に関する共振における共振周波数のインピーダンスが極大値を取る時にはこの極大値が小さくなり、この共振周波数のインピーダンスが極小値を取る時にはこの極小値が大きくなるよう、電力線通信の信号を通過させる素子であるトランスとして機能する分割型のコアや、キャパシタに対して、コンデンサまたはインダクタを接続するようにしてもよい。
【００９２】
また、上記実施の形態３のように、電力線通信の信号を通過させる素子であるトランスとして機能する分割型のコアや、キャパシタに対して、ダンピング抵抗を設けるようにしてもよい。
【００９３】
例えば、フェライトコア５１を電力機器である変圧器１０の両側における２本の配線Ｌ１およびＬ２にそれぞれ配置して、フィライトコア間をバイパス線５３で接続して、電力線通信が可能となるようにした回路は、例えば、図５（ａ）に示すような等価回路で表すことができる。フェライトコア５１はインダクタを挿入することと等しく、フェライトコア間をバイパス線５３で短絡すると、共振する回路は、トランス５２で接続されているような等価回路となる。このようなフェライトコア５１を用いて電力線通信を可能とした回路のバイパス線５３に、上記実施の形態１で説明したバイパス回路２０〜２４と同様の、共振周波数を電力線通信に用いられる周波数以外の周波数にシフトさせるコンデンサおよびインダクタの少なくとも一方や、実施の形態２で説明したバイパス回路３０および３１と同様の、共振周波数におけるピークを小さくするコンデンサおよびインダクタの少なくとも一方や、実施の形態３で説明したバイパス回路４０と同様のダンピング抵抗等を接続するようにしても良く、このような場合においても、上記各実施の形態と同様の効果を奏する。例えば、図５（ｂ）に示すように、実施の形態１で説明したコンデンサ２０１と同様のコンデンサ５０１をバイパス線５３の一方に挿入して、共振周波数を、電力線通信に用いられる周波数以外の周波数にシフトさせるようにしても良い。この場合のバイパス回路は、配線Ｌ１およびＬ２に配置されたフェライトコア５１と、フェライトコア５１間を接続するバイパス線５３と、バイパス線５３に挿入されたコンデンサ５０１とを有する回路である。
【００９４】
なお、バイパス回路を接続した回路では、バイパス回路と電力機器等により構成される共振回路による共振や、バイパス回路が有するコンデンサのＥＳＲやＥＳＬによる自己共振や、配線のインダクタンスや、配線間の寄生容量等によって生じる共振等が混ざることで、複数の共振が混在した周波数特性を示す場合がある。このような場合、バイパス回路を接続した回路の構成から、それぞれの共振周波数を算出したりすることが困難なことがある。
【００９５】
このため、上記各実施の形態では、ネットワークアナライザまたはスペクトルアナライザを用いて、バイパス回路を接続した電力機器等に対して、電力線通信の信号を送受信する時の、周波数特性を取得し、この周波数特性から，バイパス回路を接続した電力機器等の周波数毎のインピーダンス等を取得し、このインピーダンス等を利用して、１以上の共振周波数等を検出し、検出した共振周波数の１以上が、例えば、電力線通信に用いられない周波数となるように、バイパス回路に対して、上記実施の形態１のように、インダクタやコンデンサを接続したり、配線長を変更したりしてもよい。また、検出した共振周波数の１以上におけるインピーダンスの極大値が小さくなる、または極小値が大きくなるように、インダクタやコンデンサ等を接続してもよい。ネットワークアナライザ及びスペクトルアナライザは、高周波信号が送受信される回路において通過また反射する電力の周波数特性を測定する機器である。スペクトルアナライザや、ネットワークアナライザで検出される通過する電力が低下している周波数は、例えば、共振が原因により通過する電力が低下している部分である。例えば、バイパス回路に接続するインダクタやコンデンサを変更したり、並列接続や直列接続等の接続のしかたを変更したり、接続する位置を変更したりする毎に、ネットワークアナライザまたはスペクトルアナライザを用いて、電力線通信の信号を送受信する時の周波数特性を取得して確認することで、電力線通信に用いられる周波数に共振周波数が存在しないバイパス回路や、共振周波数におけるインピーダンスの極大値の値が小さい、またはインピーダンスの極小値の値が大きいバイパス回路を取得するようにしてもよい。
【００９６】
本発明は、以上の実施の形態に限定されることなく、種々の変更が可能であり、それらも本発明の範囲内に包含されるものであることは言うまでもない。
【産業上の利用可能性】
【００９７】
以上のように、本発明にかかるバイパス回路は、電力線通信に用いられるバイパス回路として適しており、特に、変圧器等の電力機器と接続されて用いられるバイパス回路として有用である。
【符号の説明】
【００９８】
１０  変圧器
２０〜２４，３０，３１，４０，９０  バイパス回路
１０１  一次巻線
１０２  二次巻線
１０３  鉄心
２００〜２０３  コンデンサ
２０４，２０５  インダクタ
３０１  打消用インダクタ
３０２  打消用コンデンサ
３０３  打消用インダクタ
３０４  打消用コンデンサ
４０１  ダンピング抵抗
【図１】
2019176304.tif 000004
【図２】
2019176304.tif 000005
【図３】
2019176304.tif 000006
【図４】
2019176304.tif 000007
【図５】
2019176304.tif 000008